(57)【要約】  【課題】  光磁気ディスク装置のトラバースシャーシに取り付けられ、ディスク搬送動作（往復動）、ターンテーブル昇降動作、およびピックアップの送り動作の全ての駆動源となる兼用駆動モータの出力軸に圧入されたウォームギアに対する、スプリングウォームの組み立てがスムーズにできるようにすること。  【解決手段】  スプリングウォーム１０の押圧部１１に、テーパ付きガイド部１２を設ける。スプリングウォームの装着の際、そのテーパ面１３がウォームギア３０の先端を緩やかに押圧しつつ、スプリングウォーム１０が装着される。従って、作業者がウォームギア３０の先端を手で押さえつつ、組み立てなければ成らない、といった従来の組み立て性の悪さが解消される。【選択図】      図１
2007058915.tif 000002
【特許請求の範囲】
【請求項１】
光磁気ディスク装置のディスクの搬送とターンテーブルの昇降、および、ディスクに対
する光ピックアップの送り動作を兼用で駆動する兼用駆動モータの出力軸に圧入されたウ
ォームギアのウォームロックを防ぐために、そのウォームギアの先端を押圧するようにな
った調整用押圧部材の、その押圧部に、テーパ付きガイド部を設けたことを特徴とする光
磁気ディスク装置。
【発明の詳細な説明】
【技術分野】
【０００１】
この発明は、例えば、コンパクトディスク（ＣＤ）やディジタルバーサタイルディスク
（ＤＶＤ）等の光ディスクに対し、情報信号の記録または再生を行う光ディスク装置に係
り、詳しくは、そのディスクの搬送、昇降、および、そのディスクに対する光ピックアッ
プの送り動作の駆動源となる兼用駆動モータの組み付け形態の改良に関する。
【背景技術】
【０００２】
一般に普及している光ディスク装置では、モータによる駆動力を要する基本的な動作と
して、光ディスクを載置したトレイを装置の内外に往復移動させて搬送するディスク搬送
動作と、装置内で、そのトレイ上のディスクを受け取ったターンテーブルを昇降させるタ
ーンテーブル昇降動作と、そのターンテーブルを回転駆動してディスクを回転させるディ
スク回転動作と、光ピックアップをディスクの内周側と外周側の間のデータエリア内で往
復動させるピックアップ送り動作の、計四つの動作が必要とされる。
【０００３】
上記の四つの動作の内、ディスク搬送動作、ターンテーブル昇降動作、ピックアップ送
り動作の三つを一つの兼用駆動モータで連続して行い、ディスク回転動作は別のモータ（
スピンドルモータ）で行うようにして、全体を二つのモータで駆動するようになった構成
のものが普及している。
【０００４】
上記の二つのモータは、ともに、光ディスク装置を構成するトラバースシャーシに搭載
されるが、その内、ディスク搬送動作（往復動）、ターンテーブル昇降動作、およびピッ
クアップの送り動作の全ての駆動源となる兼用駆動モータは、その出力軸にウォームギア
が取り付けられており、そのウォームギアの進み角に相当する角度でシャーシの面（下面
）に傾斜するように組みつけられている。
【０００５】
トラバースシャーシにはまた、同一軸にハスバ歯車と平歯車が上下に取り付けられたフ
ィードギアが取り付けられており、このフィードギアのハスバ歯車の側に、兼用駆動モー
タの出力軸に圧入された前記ウォームギアが噛合している。
【０００６】
そして、トラバースシャーシにはさらに、互いに隣接して噛合している複数のギアから
成るギア群が設けられており、その内の一つで、前記フィードギアに隣接するものは、そ
のフィードギアの平歯車の側に噛合しており、これら複数のギア群の適宜組み合わせによ
り、兼用駆動モータによる回転が所望の回転数に減速され、それら各ギアに伝達されるよ
うになっている。フィードギアを含めた、これら複数のギア群が、ディスク搬送動作（往
復動）、ターンテーブル昇降動作、およびピックアップの送り動作の各駆動機構に対する
兼用駆動モータからの動力伝達機構として作用している。
【０００７】
ところで、その兼用駆動モータの出力軸に圧入されたウォームギアは、光ディスク装置
に不具合が生じて修理を行う際に、手動でそれを回動させようとする場合に、その出力軸
に沿って先端に向かって移動し、出力軸から抜け落ちてしまう（ウォームロック）ことが
ある。それを防ぐために、そのウォームギアの先端を押圧する部材を用いて、ウォームロ
ックを阻止している。
【０００８】
この部材をスプリングウォームといい、図２は、（ａ）に、そのスプリングウォームの
従来のものを、その底面側を上にして描いて斜視図で示し、符号２０を付したものである
。図中、符号２１を付した部分がウォームギア先端を押圧する押圧部である。（ｂ）は、
その従来のスプリングウォーム２０をウォームギア３０に組み付けた状態を斜視図で示し
たものである。図中、符号４０を付したものが、上記兼用駆動モータである。
【発明の開示】
【発明が解決しようとする課題】
【０００９】
ところで、そのウォームギア２０の先端を押圧するようになった従来のスプリングウォ
ーム２０は、組み付けの際、そのウォームギア３０の先端を、押圧部２１で無理に押圧す
るような形になっていたので、作業者がウォームギア３０の先端に無理な力が掛からぬよ
う、そのウォームギア３０の先端を退避させるように手で押圧しながら、スプリングウォ
ーム２０を装着しなければ成らない、という組み立て性の悪さがあった。
【００１０】
そこで、本発明は、光磁気ディスク装置のトラバースシャーシに取り付けられ、ディス
ク搬送動作（往復動）、ターンテーブル昇降動作、およびピックアップの送り動作の全て
の駆動源となる兼用駆動モータの出力軸に圧入されたウォームギアに対する、スプリング
ウォームの組み立てがスムーズにできるようにすることを課題とする。
【課題を解決するための手段】
【００１１】
上記課題を解決するため、本発明は、そのウォームギアの先端を押圧するようになった
調整用押圧部材(スプリングウォーム)の、その押圧部に、テーパ付きガイド部を設けたの
である。
【００１２】
このようなガイド部を設けたので、スプリングウォーム（調整用押圧部材)の装着の際
、そのガイド部のテーパ面がウォームギアの先端を緩やかに押圧しつつ、スプリングウォ
ームが装着される。
【発明の効果】
【００１３】
本発明は、上記のように構成したので、作業者がウォームギアの先端を手で押さえつつ
、組み立てなければ成らない、という組み立て性の悪さが解消される。
【発明を実施するための最良の形態】
【００１４】
以下、この発明の実施の形態を図面を参照して説明する。従来例と同じ要素については
、同じ符号を付す。図１は、（ａ）に、本実施形態のスプリングウォーム１０を、その底
面側を上にした描いた斜視図であり、（ｂ）は、そのスプリングウォーム１０を兼用駆動
モータ４０の出力軸に圧入されたウォームギア３０に組み付けた状態を斜視図で示したも
のである。
【００１５】
図１（ａ）に示したように、本実施形態では、スプリングウォーム１０の押圧部１１に
テーパ付きガイド部１２を設けている。このガイド部のテーパ面１３により、ウォームギ
ア３０の押圧がこれに沿って行われて、ウォームギア３０の先端に無理な力がかからず、
これまでの作業のように、ウォームギア３０の先端を手で押圧して組み付けるといった組
み立て性の悪さが解消される。
【産業上の利用可能性】
【００１６】
この発明は、光磁気ディスクと光ピックアップの駆動機構や、それを搭載した光磁気デ
ィスク装置一般に広く適用できる。
【図面の簡単な説明】
【００１７】
【図１】は、（ａ）に、本実施形態のスプリングウォームを、その底面側を上にした斜視図であり、（ｂ）は、そのスプリングウォームを駆動モータの出力軸に圧入されたウォームギアに組み付けた状態を斜視図で示したものである。
【図２】は、（ａ）に、従来のスプリングウォームをその底面側を上にして描いた斜視図であり、（ｂ）は、そのスプリングウォームを駆動モータの出力軸に圧入されたウォームギアに組み付けた状態を斜視図で示したものである。
【符号の説明】
【００１８】
１０、２０    スプリングウォーム
１１、２１    押圧部
１２    テーパ付きガイド部
１３    テーパ面
３０    ウォームギア
４０    兼用駆動モータ
【図１】
2007058915.tif 000003
【図２】
2007058915.tif 000004